(57)【要約】【課題】シャープペン型ポインティングデバイスを提供することを課題とする。【解決手段】シャープペン型ポインティングデバイスであって、筐体と第１回路ユニットと芯繰り出しユニットと第１電磁ユニットと、を含む。筐体は、先端口と収容空間とを備え、先端口が収容空間に連通する。第１回路ユニットは、収容空間内に設けられる。芯繰り出しユニットは、収容空間内に設けられ、芯タンクと先口部材と黒鉛芯と芯繰り出しアセンブリとを含み、芯タンクが収容チャンバーを備え、先口部材が先端口に設けられ、黒鉛芯が芯タンクに収容され、芯繰り出しアセンブリが先口部材と芯タンクとの間に設けられ、また黒鉛芯を先口部材から送り出すことを制御できる。第１電磁ユニットは、収容空間内に収容され、第１磁体と第１コイルとを含み、第１磁体が貫通する第１スルーホールを備え、第１コイルが第１磁体を巻回すると共に第１回路ユニットに電気的に接続し、黒鉛芯が第１スルーホールを挿通する。【選択図】図１
2020024662.tif 000002
【特許請求の範囲】
【請求項１】
先端口と収容空間とを備え、前記先端口が前記収容空間に連通する筐体と、
前記収容空間内に設けられた第１回路ユニットと、
収容チャンバーを備えた芯タンクと、前記先端口に設けられた前記先口部材と、前記芯タンクに収容される黒鉛芯と、前記先口部材と前記芯タンクとの間に設けられると共に前記黒鉛芯を前記先口部材から送り出すことを制御できる芯繰り出しアセンブリとを含み、前記収容空間内に設けられた芯繰り出しユニットと、
前記収容空間内に収容され、第１磁体と第１コイルとを含み、前記第１磁体が貫通する第１スルーホールを備え、前記第１コイルが前記第１磁体を巻回すると共に前記第１回路ユニットに電気的に接続し、前記黒鉛芯が前記第１スルーホールを挿通する第１電磁ユニットと、を含むことを特徴とする、
シャープペン型ポインティングデバイス。
【請求項２】
前記第１電磁ユニットは、補助磁体を更に含み、前記補助磁体が貫通孔を備え、前記第１磁体に当接し、かつ前記黒鉛芯が同時に前記貫通孔と前記第１磁体の第１スルーホールを挿通することを特徴とする、請求項１に記載のシャープペン型ポインティングデバイス。
【請求項３】
導電ユニットを更に含み、前記導電ユニット及び前記芯繰り出しアセンブリは各々前記第１回路ユニットと電気的に接続し、前記黒鉛芯が圧力を受けた時前記芯繰り出しアセンブリと前記導電ユニットとを導通させることを特徴とする、請求項１に記載のシャープペン型ポインティングデバイス。
【請求項４】
前記導電ユニットが導体を含み、前記導体は前記筐体に設けられ、前記芯繰り出しアセンブリが導電性を持つことを特徴とする、請求項３に記載のシャープペン型ポインティングデバイス。
【請求項５】
前記導電ユニットは、第１導電弾性体と第２導電弾性体とを更に含み、前記芯繰り出しアセンブリが押し部材を含み、前記押し部材は前記芯タンクを外嵌すると共に前記黒鉛芯と連動し、前記第１導電弾性体が前記押し部材を嵌め込み、前記第２導電弾性体が前記導体に接触することを特徴とする、請求項４に記載のシャープペン型ポインティングデバイス。
【請求項６】
第２回路ユニットと第２電磁ユニットと筆跡消去アセンブリとを更に含み、前記第２回路ユニットは、前記第２電磁ユニットと電気的に接続し、各々前記筐体に設けられ、前記第２電磁ユニットが第２磁体と第２コイルとを含み、前記第２磁体は第２スルーホールを備え、前記第２コイルが前記第２磁体の外側を巻回し、前記筆跡消去アセンブリは前記筐体の前記先端口に対向する端に設けられると共に前記第２スルーホールを挿入し、かつ前記筆跡消去アセンブリが取り替えることができる筆跡消去具を含むことを特徴とする、請求項１に記載のシャープペン型ポインティングデバイス。
【請求項７】
感圧素子を更に含み、前記感圧素子は前記筐体に設けられると共に前記第２回路ユニットと電気的に接続し、前記筆跡消去アセンブリは前記感圧素子に向けて弾性変位をすることができることを特徴とする、請求項６に記載のシャープペン型ポインティングデバイス。
【請求項８】
前記感圧素子と前記筆跡消去アセンブリとの間に位置する第２弾性部材を更に含むことを特徴とする、請求項７に記載のシャープペン型ポインティングデバイス。
【請求項９】
前記筆跡消去アセンブリは、載置台とキャップとを更に含み、前記載置台が移動自在に前記筐体に設けられると共に前記第２弾性部材に固結され、前記筆跡消去具が前記載置台に収容され、前記キャップは前記載置台に合わせると共に前記筆跡消去具に被せることができることを特徴とする、請求項８に記載のシャープペン型ポインティングデバイス。
【請求項１０】
前記筐体は、軸筒と前軸部材とを含み、前記前軸部材が取り外し可能に前記軸筒に設けられ、前記補助磁体が前記前軸部材内に設けられることを特徴とする、請求項２に記載のシャープペン型ポインティングデバイス。
【請求項１１】
前記筐体は、後軸部材を更に含み、前記第２回路ユニット、前記第２電磁ユニット及び前記筆跡消去アセンブリが前記後軸部材内に設けられることを特徴とする、請求項６に記載のシャープペン型ポインティングデバイス。
【発明の詳細な説明】
【技術分野】
【０００１】
本発明は、デジタル筆跡を生成できるポインティングデバイスに関し、特に、シャープペン型ポインティングデバイスに関する。
【背景技術】
【０００２】
デジタル製品の普及につれ、タッチ式の電子機器種類が益々多様化し、ポインティングデバイスを通じてデジタル筆跡を形成する運用モデルも人々に熟知されている。
【０００３】
しかしながら、幾つかの使用状況において、若干の使用者はやはり物理的な筆墨で紙面に描くことに慣れている。よって、本発明者は、この使用方式で生じる筆跡保存の不便さを感じていた。かつ前記筆跡保存の不便さは、物理的な筆墨で紙面に書いた後、筆跡を保留しようとする時、スキャナー又は写真撮影を通じてファイルで保管できるだけであった。すなわち、筆墨で書いた後、別の手続を通じなければ筆跡を保留できない。更に不注意で物理的な筆跡のある用紙を紛失した時も所要の筆跡或いは記録を復元するのが難しく、以上より改善の必要があると考えた。
【発明の概要】
【発明が解決しようとする課題】
【０００４】
上記課題を解決するために、鋭意研究を重ねた結果、以下の発明を完成するに至った。
【課題を解決するための手段】
【０００５】
本発明は、筐体と第１回路ユニットと芯繰り出しユニットと第１電磁ユニットと、を含むシャープペン型ポインティングデバイスを提供する。筐体は、先端口と収容空間とを備え、先端口が収容空間に連通する。第１回路ユニットは、収容空間内に設けられる。芯繰り出しユニットは、収容空間内に設けられ、芯タンクと先口部材と黒鉛芯と芯繰り出しアセンブリとを含み、芯タンクが収容チャンバーを備え、先口部材が先端口に設けられ、黒鉛芯が芯タンクに収容され、芯繰り出しアセンブリが先口部材と芯タンクとの間に設けられ、また黒鉛芯を先口部材から送り出すことを制御できる。第１電磁ユニットは、収容空間内に収容され、第１磁体と第１コイルとを含み、第１磁体が貫通する第１スルーホールを備え、第１コイルが第１磁体を巻回すると共に第１回路ユニットに電気的に接続し、黒鉛芯が第１スルーホールを挿通する。
【図面の簡単な説明】
【０００６】
【図１】本発明の一実施例に係るシャープペン型ポインティングデバイスを示す模式図である。
【図２】図１の実施例の局所構造分解図である。
【図３】図１内の囲み部位３の部分的拡大図である。
【図４】図１内の囲み部位４の部分的拡大図である。
【図５】図３例の黒鉛芯を繰り出す動作を示す模式図である。
【図６】図３例の手書き動作を示す模式図である。
【図７】筆跡消去具を使用した様子を示すである。
【発明を実施するための形態】
【０００７】
図１は本発明の一実施例に係るシャープペン型ポインティングデバイスを示す模式図である。ポインティングデバイスは、黒鉛芯で物理手書きを行いながら電磁誘導を行うことでデジタル筆跡を保存し、黒鉛芯はクレヨンとしてもよいがこれに限られるものではない。
【０００８】
図１に示すシャープペン型ポインティングデバイスは、筐体１０と第１回路ユニット２０と芯繰り出しユニット３０と第１電磁ユニット４０と、を含む。
【０００９】
図１乃至図３を参照する。筐体１０は、収容空間１１と収容空間１１に連通する先端口１２とを備える。第１回路ユニット２０、芯繰り出しユニット３０及び第１電磁ユニット４０は、各々収容空間１１内に設けられる。
芯繰り出しユニット３０は、芯タンク３１と先口部材３２と黒鉛芯３３と芯繰り出しアセンブリ３４とを含む。芯タンク３１は、収容チャンバー３１１を備え、先口部材３２が先端口１２に設けられ、黒鉛芯３３が芯タンク３１の収容チャンバー３１１に収容され、芯繰り出しアセンブリ３４が芯タンク３１と先口部材３２との間に設けられて黒鉛芯３３を先口部材３２から送り出すことを制御することで、現実の筆跡を描く。第１電磁ユニット４０は、第１磁体４１と第１コイル４２とを含む。第１磁体４１は、第１スルーホール４１１を備え、第１コイル４２が第１磁体４１を巻回すると共に第１回路ユニット２０に電気的に接続し、かつ黒鉛芯３３が第１スルーホール４１１を挿通する。
【００１０】
以上より、使用する時、単独で芯繰り出しユニット３０を通じて筆墨の物理手書きを行い、又はペンタブレットに合わせて使用することで、同時にデジタル筆跡を記録できる。
【００１１】
ポインティングデバイスは、電磁エネルギーを発射できるペンタブレットに合わせて使用する時、第１回路ユニット２０及び第１コイル４２は、ポインティングデバイスが電磁エネルギーをペンタブレットに発射させ、並びにペンタブレットのアンテナー或いは誘導コイルから発せられた電磁エネルギーを受け取らせる。
ペンタブレットは、電磁エネルギーを発射し、ポインティングデバイスが電磁界のエネルギーを蓄積してから、信号をペンタブレットに発する。ポインティングデバイスがライティングタスクを行うことによりペンタブレットとの間の相対位置を変更した時、ポインティングデバイスとペンタブレットと間の磁界が変更される。この時、ペンタブレットは、磁界の変化に基づいて、演算を通じてポインティングデバイスの位置を定義できる。よって、ポインティングデバイスは、物理手書きを行いながらペンタブレットにデジタル筆跡を生成及び記録させることができる。
【００１２】
一実施例において、図１を引き続き参照する。筐体１０は、軸方向Ｘに沿って長さを延伸する細長い形状の中空ペン型筐体であるが、これに限定されない。筐体１０は、内部の構成要素を取り替えるため、取り外し可能な分離式形態とするが、これに限定されることはない。
【００１３】
一実施例において、図１を参照する。第１回路ユニット２０は、プリント回路基板とすることができる。第１回路ユニット２０上に発振回路及び制御素子を有し、ポインティングデバイスの位置を演算と共に定義するために用いられる。
【００１４】
一実施例において、図１及び図２を参照する。芯繰り出しユニット３０の芯タンク３１は、軸方向Ｘに沿って長さを延伸する中空長棒体であり、かつ芯タンク３１の収容チャンバー３１１が軸方向Ｘに沿って芯タンク３１の両端を貫通する。
【００１５】
一実施例において、図１乃至図４を参照する。先口部材３２は筐体１０内の先端口１２に近い一端に設けられる。芯繰り出しアセンブリ３４は、先口部材３２と芯タンク３１との間に設けられ、黒鉛芯３３を先口部材３２から送り出すことを制御する。
【００１６】
図１及び図２を引き続き参照する。第１磁体４１は、中空柱体であるが、これに限定されることはない。一実施例において、第１磁体４１は、第１スルーホール４１１を備え、第１スルーホール４１１が第１磁体４１の軸方向Ｘにおける両端を貫通する。よって、第１磁体４１は、対向する外表面と内表面とを備え、内表面が第１スルーホール４１１を画定する面である。また本実施例の第１磁体４１は、磁性素材で製造される。第１コイル４２は、第１磁体４１の外表面を巻回する。第１コイル４２の両端は、２本の導電線を通じて回路ユニット２０に接続できる。
【００１７】
具体的に、図１乃至図３を参照する。第１磁体４１は、収容空間１１内の先端口１２に近い位置に収容されると共に先口部材３２及び黒鉛芯３３を外嵌することで、黒鉛芯３３に第１磁体４１の第１スルーホール４１１を挿通させる。本実施例において、黒鉛芯３３は、第１磁体４１の中心軸に位置する。
【００１８】
本実施例において、図１及び図２を参照する。筐体１０は着脱可能な組立式筐体である。筐体１０は、軸筒１０１と内筒１０２と前軸部材１０３と後軸部材１０４とを含む。軸筒１０１は、第１端と第２端とを備え、軸筒１０１の第１端外側にねじ部１０１１を有し、かつ第１端の内側に第１係合部１０１２を有する。具体的には、軸筒１０１のねじ部１０１１は、雄ネジであり、第１係合部１０１２が複数のポッチである。
【００１９】
図１乃至図３を参照する。更に内筒１０２は、軸筒１０１の内側を挿設すると共に固定される。内筒１０２の一端外側にねじ部１０２１を有し、他端外側に第２係合部１０２２を有する。内筒１０２が軸筒１０１を挿設した時、内筒１０２のねじ部１０２１が軸筒１０１の第２端から突出され、内筒１０２の第２係合部１０２２が軸筒１０１内側の第１係合部１０１２に係合して固定する。具体的には、内筒１０２の第２係合部１０２２は、第１係合部１０１２の数量及び形状に対応する凹溝である。
【００２０】
図１、図２及び図３を参照する。前軸部材１０３は漏斗形で、かつ前軸部材１０３の一端に嵌合口１０３１を有し、他端が先端口１２である。嵌合口１０３１は延伸して先端口１２までに連通し、かつ嵌合口１０３１の口径が先端口１２の口径より大きい。具体的には、前軸部材１０３の嵌合口１０３１の内周縁にねじ部１０３２を有する。よって、前軸部材１０３は、嵌合口１０３１のねじ部１０３２を通じて内筒１０２のねじ部１０２１に螺着できる。
【００２１】
図１及び図２を参照する。後軸部材１０４の一端内側にねじ部１０４１を有する。よって、後軸部材１０４のねじ部１０４１は、軸筒１０１のねじ部１０１１に螺着できる。
【００２２】
第１回路ユニット２０は、内筒１０２の外表面に固設される。
【００２３】
更に、図１乃至図３を参照する。本実施例において、内筒１０２の内表面に順次第１段部１０２３、第２段部１０２４、第３段部１０２５及び第４段部１０２６を有する。第１段部１０２３、第２段部１０２４、第３段部１０２５及び第４段部１０２６は、各々内筒１０２の内表面から半径方向Ｙに沿って延伸する凸起部である。よって、第１段部１０２３、第２段部１０２４、第３段部１０２５及び第４段部１０２６は、内筒１０２の内表面を非平面構造にさせて複数の区間に区分される。かつ第１段部１０２３は、内筒１０２のねじ部１０２１に最も近く、第４段部１０２６がねじ部１０２１から最も離れる。
【００２４】
図１乃至図３を参照する。第１電磁ユニット４０は、内筒１０２の第１段部１０２３とねじ部１０２１を有する端部との間に位置する。第１電磁ユニット４０の第１磁体４１は、第１段部１０２３に当接し、第１コイル４２が第１磁体４１の外側を巻回すると共に第１回路ユニット２０までに電気的に接続する。
【００２５】
図１乃至図３を参照する。芯繰り出しユニット３０の芯タンク３１は、内筒１０２の第２係合部１０２２を設けた一端から内筒１０２を挿設する。先口部材３２は、第１磁体４１の第１スルーホール４１１内を挿設する。前軸部材１０３が内筒１０２に螺着された時、先口部材３２は、前軸部材１０３に当接して前軸部材１０３内に拘束される。黒鉛芯３３は、芯タンク３１内に格納されると共に先口部材３２を通じて前軸部材１０３の先端口１２から送り出すことで、筆墨の物理手書きを行う。これを介して、使用者は先口部材３２を通じて筆墨の物理手書きを行うことができ、また手書きの過程中第１電磁ユニット４０とペンタブレットとの間の電磁誘導を通じてデジタル筆跡を生成すると共に記録できる。
【００２６】
なお、前記実施例において、筐体１０の前軸部材１０３及び後軸部材１０４は、軸筒から取り外すことができるため、黒鉛芯３３を使い切った時後軸部材１０４を取り外して黒鉛芯３３の補給を行うことができる。黒鉛芯３３が先口部材３２で折れた時、前軸部材１０３を取り外して折れた黒鉛芯３３を除去できる。
【００２７】
更に、一実施例において、図１乃至図３を参照する。第１電磁ユニット４０は、補助磁体４３を更に含み、補助磁体４３が前軸部材１０３内側の先端口１２に近い箇所に固設される。補助磁体４３の外周輪郭の形状は、前軸部材１０３内側の形状に対応し、かつ補助磁体４３の中心部に黒鉛芯３３を通過するための貫通孔４３１を有する。前軸部材１０３が内筒１０２に構設された時、補助磁体４３の一端は先端口１２に当接し、他端が先口部材３２及び第１磁体４１に当接する。よって、補助磁体４３は磁界のエネルギーを集中して電磁誘導の精度を高めることができる。
【００２８】
一実施例において、図１乃至図３を参照する。芯繰り出しアセンブリ３４は押し部材３４１と第１弾性部材３４２とスリーブ３４３とチャック体３４４とを含む。
【００２９】
図３を参照する。一実施例において押し部材３４１は、中空管体構造であり、かつ押し部材３４１が軸方向Ｘに沿って移動自在に内筒１０２内に収容されると共に該芯タンク３１を外嵌し、かつ芯タンク３１と連動できる。押し部材３４１は、延伸して両端に連結する内面３４１１と外面３４１２とを備え、かつ押し部材３４１の内面３４１１が両端間において環状当接部３４１３を有し、押し部材３４１の内面３４１１で画定した空間を環状当接部３４１３により第１チャンバー部３４１４及び第２チャンバー部３４１５として仕切る。
【００３０】
図３を参照する。押し部材３４１の外面３４１２に第１凸縁３４１６及び第２凸縁３４１７を有し、第１凸縁３４１６は、押し部材３４１の一端に位置し、第２凸縁３４１７が押し部材３４１の両端間に位置する。第１凸縁３４１６及び第２凸縁３４１７の外径は、押し部材３４１の外面３４１２の外径より大きい。
【００３１】
図３を参照する。押し部材３４１が内筒１０２に収容された時、押し部材３４１の第１凸縁３４１６は内筒１０２の第１段部１０２３と第２段部１０２４との間に位置する。押し部材３４１の第２凸縁３４１７は、内筒１０２の第２段部１０２４と第３段部１０２５との間に位置する。よって、押し部材３４１が内筒１０２内において軸方向Ｘに沿って移動する範囲は、確実に制限される。
【００３２】
更に、内筒１０２及び芯繰り出しアセンブリ３４の組み立てを図るため、内筒１０２は分離した２個の構成部材を合わせて構成される。よって、芯繰り出しアセンブリ３４が内筒１４０２の内部に収容されるように組み立てるのに便利である。
【００３３】
図３を参照する。第１弾性部材３４２は、押し部材３４１の第２チャンバー部３４１５に収容され、かつ第１弾性部材３４２の一端が環状当接部３４１３に当接する。更に、本実施例において、芯タンク３１の一端は、押し部材３４１の第２チャンバー部３４１５に挿入すると共に第３弾性部材３４２の他端に当接する。第１弾性部材３４２は、芯タンク３１に軸方向Ｘ上の弾性力を提供する。
【００３４】
図３を参照する。スリーブ３４３は、押し部材３４１の第１チャンバー部３４１４に挿設される。スリーブ３４３は、嵌め込み部位３４３１と止め部３４３２とを備える。スリーブ３４３全体は、両端が貫通する中空構造であり、かつ止め部３４３２の外径が嵌め込み部位３４３１の外径より大きい。
スリーブ３４３の嵌め込み部位３４３１は、押し部材３４１の第１チャンバー部３４１４に固定され、かつ嵌め込み部位３４３１の外表面が押し部材３４１の第１チャンバー部３４１４の内面３４１１に密着し、止め部３４３２が第１チャンバー部３４１４の外側に位置すると共に押し部材３４１の第１凸縁３４１６に当接する。一実施例において、スリーブ３４３は、金属素材で製造された管体構造とすることができる。
【００３５】
図３を参照する。チャック体３４４は、軸方向Ｘに沿って移動自在にスリーブ３４３内を挿設できる。チャック体３４４は、チャックリング３４４１と複数のチャック爪３４４２とを備える。
チャックリング３４４１は、閉輪郭の管体構造であり、複数のチャック爪３４４２の一端がチャックリング３４４１に連結し、かつ複数のチャック爪３４４２の間に隙間を有する。よって、チャック爪３４４２が力を受けていない状態にある時、チャック爪３４４２間の隙間がチャック爪３４４２を分離させて広がる。チャック爪３４４２が力を受けた時、チャック爪３４４２間の隙間が消失し、各チャック爪３４４２が互いに近づいて締まる。チャック体３４４のチャック爪３４４２の位置がスリーブ３４３内に対応する時、各チャック爪３４４２がきつく締め上げられて締まり、チャック爪３４４２の位置がスリーブ３４３から離脱する時、各チャック爪３４４２が互いに分離して広がる。
【００３６】
図３を参照する。チャック体３４４のチャックリング３４４１は、スリーブ３４３を通過して押し部材３４１の第２チャンバー部３４１５に入って芯タンク３１内を挿通して固定される。かつチャック体３４４のチャック爪３４４２位置がスリーブ３４３の嵌め込み部位３４３１内に対応する。スリーブ３４３とチャック爪３４４２との間は、摩擦力を通じて連結すると共に互いに連動できる。
【００３７】
更に、細長状構造の黒鉛芯３３は芯タンク３１内に格納されると共にチャック体３４４及び先口部材３２を順次通過して突出する。チャック体３４４のチャック爪３４４２が締め状態にある時、各チャック爪３４４２と黒鉛芯３３との間に摩擦力を有することで、安定した相対位置にあることができる。すなわち、チャック爪３４４２間が締め状態にある時、チャック体３４４２の各チャック爪３４４２が、黒鉛芯３３を保持することで、安定して手書きすることができる。図５に示すように、黒鉛芯３３を用紙又はその他の手書き平面上に押し付けて手書きすることができる。
【００３８】
先口部材３２から突出された黒鉛芯３３は、一定の時間使用して、短くなることで使いにくくなった時、使用者は軸方向Ｘ上において先端口１２の方向に向けて芯タンク３１に加圧して芯タンク３１で芯繰り出しアセンブリ３４を動かせて黒鉛芯３３を送り出すことができる。
【００３９】
具体的に、図５を参照する。芯タンク３１が軸方向Ｘに沿って第１弾性部材３４２を圧縮した時、芯タンク３１がチャック体３４４を第１電磁ユニット４０の方向に向けて移動させ、かつチャック体３４４が同時にスリーブ３４３を通じて押し部材３４１を移動させることができる。芯タンク３１が第１弾性部材３４２を引き続圧縮して軸方向Ｘに沿って先端口１２方向に向けて移動した時、芯タンク３１が引き続きスリーブ３４３及び押し部材３４１を軸方向Ｘに沿って先端口１２に接近するよう移動させる。
スリーブ３４３が止め部３４３２まで移動して第１段部１０２３に当接した時、スリーブ３４３は止められて引き続き移動できなくなり、芯タンク３１が引き続きチャック体を３４４軸方向Ｘに沿って移動させ、チャック体３４４も同時に黒鉛芯３３を軸方向Ｘに沿って移動させることができる。
【００４０】
次に、スリーブ３４３が止められた後、チャック体３４４は移動し続けてチャック爪３４４２が嵌め込み部位３４３１から離脱させて広げすることで、黒鉛芯３３を開放する。この時、黒鉛芯３３が繰り出され、かつ使用者は自由に黒鉛芯３３を引っ張って先口部材３２から突出或いは先口部材３２に引き込まれる。
【００４１】
以上からも分かるように、使用者が芯タンク３１に加圧して芯タンク３１により第１弾性部材３４２に対し軸方向Ｘに沿う力をかけた時、芯タンク３１は先に黒鉛芯３３を軸方向Ｘに沿って移動させて先口部材３２から突出できる。芯タンク３１にかけた力が抜けた時、第１弾性部材３４２が弾性復元すると共に芯タンク３１を逆方向に向けて元の位置に戻す。これと同時に、芯タンク３１は、チャック体３４４を逆方向に移動させ、チャック体３４４の逆方向移動の力がスリーブ３４３を通じて押し部材３４１を逆方向に移動させる。
押し部材３４１が第１凸縁３４１６まで逆方向に移動して内筒１０２の第２段部１０２４に当接した後、チャック体３４４の逆方向移動の力が各チャック爪３４４２を移動し続けさせてスリーブ３４３内に引き込まれ、各チャック爪３４４２を黒鉛芯３３保持状態に戻す。
【００４２】
すなわち、使用者が芯タンク３１を連続押圧、解放した時、芯タンク３１内の黒鉛芯３３は引き続き押し出して使用でき、かつ芯タンク３１への加圧を緩めた後、黒鉛芯３３が安定的に保持されて固定できる。
【００４３】
更に、図１、図２及び図４を引き続き参照する。芯タンク３１を押圧して操作使用を図るため、芯繰り出しユニット３０は、案内キット３５を更に含む。案内キット３５は、後軸部材１０４に設けられることで、芯タンク３１を軸方向Ｘに沿って移動させる。
【００４４】
図２及び図４を参照する。案内キット３５は、嵌入部３５１と案内部３５３と押し当て部３５２とを備える。嵌入部３５１は、中空棒体構造であり、かつ芯タンク３１の外周を外嵌できる。押し当て部３５２は、嵌入部３５１の芯タンク３１に向かう内面から半径方向Ｙに沿って延伸し、かつ押し当て部３５２が嵌入部３５１の先口部材３２から離れた端に位置する。よって、案内キット３５が芯タンク３１を嵌め込んだ後押し当て部３５２で芯タンク３１の一端に押し当てることができる。案内部３５３は、嵌入部３５１の他面に位置し、また半径方向Ｙに沿って延伸する。案内キット３５の案内部３５３の外径は、嵌入部３５１の外径より後軸部材１０４の内径に近い。
【００４５】
こうして案内キット３５に力をかける時、案内キット３５は押し当て部３５２を通じて芯タンク３１を加圧することで、同時に芯タンク３１を軸方向Ｘに沿って移動させる。案内キット３５で芯タンク３１を移動させると同時に、案内キット３５が案内部３５３を通じて後軸部材１０４の内面の案内を受けて案内キット３５の軸方向Ｘに対する振れ量を制限でき、案内キット３５が安定して芯タンク３１を軸方向Ｘに移動させることを確保し、芯タンク３１の非軸方向Ｘに向ける振れを低下し、操作の安定性を高める。
【００４６】
更に図３を参照する。芯繰り出しユニット３０は、導電ユニット３６を更に含み、導電ユニット３６が第１回路ユニット２０と電気的に接続する。手書き動作の過程で、黒鉛芯３３が圧力を受けて芯繰り出しアセンブリ３４を動かせて導電ユニット３６と導通することで、第１回路ユニット２０に手書き動作の情報を受信させる。
【００４７】
図３を参照する。導電ユニット３６は、第１導電弾性体３６１と第２導電弾性体３６２と導体３６３とを含む。本実施例において、芯繰り出しアセンブリ３４は、導電性を持ち、かつ芯繰り出しアセンブリ３４の導電性は押し部材３４１全体が持つ導電性によることができる。押し部材３４１全体が導電性を持つ実施態樣は、押し部材３４１全体が金属素材で製造され又は非導電素材の外表面に金属表層をめっきするが、これに限られるものではない。
【００４８】
図３を参照する。第１導電弾性体３６１は、導電性を持つコイルばねである。第１導電弾性体３６１は、金属素材の圧縮コイルばねであるが、これに限られるものではない。第１導電弾性体３６１は、押し部材３４１の外面３４１２に嵌設され、かつ第１導電弾性体３６１が押し部材３４１の第２凸縁３４１７と内筒１０２の第３段部１０２５との間に位置する。よって、押し部材３４１は、第１導電弾性体３６１に合わせて弾性的な変位を生じることができる。また第１導電弾性体３６１は、導電線又は一体成形したばねを通じて第１回路ユニット２０に電気的に接続する。
【００４９】
図３を参照する。第２導電弾性体３６２は、導電性を持つコイルばねである。第２導電弾性体３６２は、金属素材の圧縮コイルばねであるが、これに限られるものではない。導体３６３は、導電性を持つ塊体である。導体３６３は、金属塊、導電性ゴムブロック或いは導電性シリコン塊とすることができるが、これに限られるものではない。
【００５０】
図３を引き続き参照する。導体３６３は筐体１０内に固定される。具体的には、導体３６３及第２導電弾性体３６２は、内筒１０２の第３段部１０２５と第４段部１０２６との間に位置する。導体３６３は、第２導電弾性体３６２に接触すると共に第３段部１０２５に近く、第２導電弾性体３６２が第４段部１０２６に近く、かつ第２導電弾性体３６２は導電線又は一体成形したばねを通じて第１回路ユニット２０に電気的に接続する。
【００５１】
図６を参照する。筆墨の手書き動作を行う時、手書き動作は黒鉛芯３３を通じて先口部材３２を加圧し、先口部材３２及び黒鉛芯３３が力を芯繰り出しアセンブリ３４にかける。芯繰り出しアセンブリ３４内に黒鉛芯３３を保持するチャック体３４４は、黒鉛芯３３で動かせ、チャック体３４４が更にスリーブ３４３を通じて押し部材３４１を先口部材３２から離れた方向に向けて移動させる。
押し部材３４１が引き続き先口部材３２から離れた方向に向けて移動する状態において、押し部材３４１は導体３６３に接触し、押し部材３４１が導体３６３に接触した時、押し部材３４１、導体３６３及び第１回路ユニット２０が導通してループを構成する。押し部材３４１、導体３６３及び第１回路ユニット２０が導通してループを構成した時、信号を第１回路ユニット２０に伝送でき、ペンタブレットはポインティングデバイスが筆墨のライティングタスクを行うことを判断し、従って演算してデジタル筆跡を生成及び記録する。
【００５２】
更に、図１、図２及び図４を参照する。第２回路ユニット５０と第２電磁ユニット６０と感圧ユニット７０と筆跡消去アセンブリ８０とを更に含み、第２回路ユニット５０、第２電磁ユニット６０及び感圧ユニット７０は、各々該筐体１０に設けられる。
第２回路ユニット５０は、第２電磁ユニット６０と電気的に接続し、筆跡消去アセンブリ８０が筆墨筆跡を消去でき、又は第２電磁ユニット６０に合わせてデジタル筆跡を消去できる。また、筆跡消去アセンブリ８０が圧力を受けた時、圧力を感圧ユニット７０にかけて筆跡消去アセンブリ８０の力を感知すると、更に筆跡消去の圧力を判断することで、筆跡の深さ又は粗さを変更する。
【００５３】
図１及び図２を参照する。第２回路ユニット５０は、後軸部材１０４内に設けられる。第２回路ユニット５０は、後軸部材１０４内の案内キット３５の外表面に固設される。
【００５４】
図１及び図４を参照する。第２電磁ユニット６０は、第２磁体６１と第２コイル６２とを含む。第２磁体６１は、中空柱体構造であり、かつ第２スルーホール６１１を備え、第２コイル６２が第２磁体６１の外側を巻回すると共に第２回路ユニット５０と電気的に接続する。案内キット３５の外表面は、更に制限部３５４を備え、制限部３５４が半径方向Ｙに沿って延伸し、かつ制限部３５４が案内部３５３と押し当て部３５２との間に位置する。第２磁体６１は、案内キット３５を外嵌すると共に制限部３５４に当接する。
【００５５】
図１及び図４を参照する。感圧ユニット７０は、感圧素子７１と第２弾性部材７２とを含む。感圧素子７１は、案内キット３５の押し当て部３５２に設けられると共に第２回路ユニット５０に電気的に接続する。第２弾性部材７２は、感圧素子７１に向けて設けられる。
【００５６】
図４を参照する。筆跡消去アセンブリ８０は、筐体１０の先端口１２に対向する端に設けられると共に第２スルーホール６１１を挿入し、かつ筆跡消去アセンブリ８０が感圧素子７１に向けて弾性変位ができる。
筆跡消去アセンブリ８０は、載置台８１と筆跡消去具８２とキャップ８３とを含む。載置台８１は、軸方向Ｘに沿って移動自在に後軸部材１０４内に収容され、かつ載置台８１が第２弾性部材７２に固結することで、第２弾性部材７２を同時に移動させる。具体的には、載置台８１は、第２磁体６１及び案内キット３５内に位置する。更に、載置台８１の両端間位置における周縁にストッパ凸縁８１１を更に備え、かつ後軸部材１０４が挿通口１０４２を更に備え、ストッパ凸縁８１１の外周輪郭は挿通口１０４２の輪郭より大きく、ストッパ凸縁８１１が挿通口１０４２の輪郭に制限されて挿通口１０４２を挿通できない。
【００５７】
図４を引き続き参照する。載置台８１が後軸部材１０４内にある時、載置台８１は、ストッパ凸縁８１１を境界として両部分を区分し、載置台８１の一部分がストッパ凸縁８１１と一緒に後軸部材１０４内にあり、他部分が後軸部材１０４から突出する。載置台８１のストッパ凸縁８１１の外周輪郭も案内キット３５の嵌入部３５１の内径輪郭より大きく、載置台８１のストッパ凸縁８１１が嵌入部３５１の内径で制限されて嵌入部３５１を通過できない。こうして載置台８１は後軸部材１０４内において軸方向Ｘに沿って移動する時、載置台８１の移動範囲がストッパ凸縁８１１の制限を受けて確定されることができる。
【００５８】
図４を参照する。筆跡消去具８２は、消しゴムとすることができる。筆跡消去具８２の一部は載置台８１内に収容され、他部分が載置台８１から突起する。キャップ８３は、筆跡消去具８２の載置台８１から突起した部分を外嵌すると共に載置台８１に合わせることができる。
【００５９】
図４を参照する。第２弾性部材７２の載置台８１に結合する部位の半径方向Ｙにおける幅は、感圧素子７１に接触する部位より広い。よって、好ましい圧力段階の表現を実現する。
【００６０】
よって、本実施例は、筆墨筆跡及びデジタル筆跡の消去に適する。図７を参照する。筆墨筆跡を消去する時、キャップ８３を外して筆跡消去具８２を露出させると、筆跡消去具８２を通じて筆墨筆跡上に押し付けて往復して擦ることで、筆墨筆跡を消去できる。
【００６１】
デジタル筆跡を消去する時、キャップ８３を外し又はキャップ８３を外さない状態下で、後軸部材１０４の筆跡消去アセンブリ８０を露出した部分をデジタル筆跡上に押し付けて往復して擦る。筆跡消去アセンブリ８０がデジタル筆跡上に押し付けて往復して擦ると同時に、筆跡消去アセンブリ８０は第２弾性部材７２を動かせて感圧素子７１に押し当て、感圧素子７１が筆跡消去アセンブリ８０からかけた圧力を感知し、感圧素子７１が筆跡消去アセンブリ８０からかけた圧力を感知した時、第２回路ユニット５０の演算を通じてデジタル筆跡の筆圧痕の深さを変更又は消去できる。こうして筆跡消去アセンブリ８０の使用を通じて筆跡やパターンの淡化又は筆跡やパターンの消去の芸術表現を提供できる。
【００６２】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００６３】
１０  筐体
１０１  軸筒
１０１１  ねじ部
１０１２  第１係合部
１０２  内筒
１０２１  ねじ部
１０２２  第２係合部
１０２３  第１段部
１０２４  第２段部
１０２５  第３段部
１０２６  第４段部    
１０３  前軸部材
１０３１  嵌合口
１０３２  ねじ部
１０４  後軸部材
１０４１  ねじ部
１０４２  挿通口
１１  収容空間
１２  先端口
２０  第１回路ユニット
３０  芯繰り出しユニット
３１  芯タンク
３１１  収容チャンバー
３２  先口部材
３３  黒鉛芯
３４  芯繰り出しアセンブリ
３４１  押し部材    
３４１１  内面
３４１２  外面
３４１３  環状当接部
３４１４  第１チャンバー部
３４１５  第２チャンバー部
３４１６  第１凸縁
３４１７  第２凸縁
３４２  第１弾性部材
３４３  スリーブ
３４３１  嵌め込み部位
３４３２  止め部
３４４  チャック体
３４４１  チャックリング
３４４２  チャック爪
３５  案内キット
３５１  嵌入部
３５２  押し当て部
３５３  案内部
３５４  制限部
３６  導電ユニット
３６１  第１導電弾性体
３６２  第２導電弾性体
３６３  導体
４０  第１電磁ユニット
４１  第１磁体
４１１  第１スルーホール
４２  第１コイル
４３  補助磁体
４３１  貫通孔
５０  第２回路ユニット
６０  第２電磁ユニット
６１  第２磁体
６１１  第２スルーホール
６２  第２コイル
７０  感圧ユニット
７１  感圧素子
７２  第２弾性部材
８０  筆跡消去アセンブリ
８１  載置台
８１１  ストッパ凸縁
８２  筆跡消去具
８３  キャップ
Ｘ  軸方向
Ｙ  半径方向
【図１】
2020024662.tif 000003
【図２】
2020024662.tif 000004
【図３】
2020024662.tif 000005
【図４】
2020024662.tif 000006
【図５】
2020024662.tif 000007
【図６】
2020024662.tif 000008
【図７】
2020024662.tif 000009